(57)【要約】【課題】使用者が意図する場合には容易で安全にロックナット脱着が可能で、逆に意図しない場合にはロックナットが容易に外れないようにする。【解決手段】ロックリング１の内腔を段筒状に形成し、その先端側の大径内腔部に、雄ルアー２２と接続される相手側雌コネクタの端部と螺合可能な第１の雌ねじ１１を設けるとともに、その基端側の小径内腔部には、雄コネクタ２の基端側外周に形成した係止部２１と螺合可能な第２の雌ねじ１２を設け、かつ雄コネクタ２の基端側外周前方に、ロックリング１の内腔段部端面１３と当接可能な突起状ストッパ２３を設ける。【選択図】　　　　図２
2004081433.tif 000002
【特許請求の範囲】
【請求項１】
先端側に雄ルアーを備えた雄コネクタに、ロックリングを嵌装してなるロック型接続具において、
前記ロックリングの内腔を段筒状に形成し、その先端側の大径内腔部に、前記雄ルアーと接続される相手側雌コネクタの端部と螺合可能な第１の雌ねじを設けるとともに、その基端側の小径内腔部には、前記雄コネクタの基端側外周に形成した係止部と螺合可能な第２の雌ねじを設け、
かつ前記雄コネクタの基端側外周前方に、前記ロックリングの内腔段部端面と当接可能な突起状ストッパを設けたことを特徴とするロック型接続具。
【請求項２】
ロックリングの第１と第２の雌ねじの向きが互いに逆向きとなるように設定したことを特徴とする請求項１記載のロック型接続具。
【請求項３】
雄コネクタ基端側の係止部が雄ねじからなることを特徴とする請求項１又は請求項２記載のロック型接続具。
【請求項４】
雄コネクタ基端側の係止部が突起からなることを特徴とする請求項１又は請求項２記載のロック型接続具。
【請求項５】
雄コネクタの基端に、可撓性チューブの一端が結合され、
該可撓性チューブの他端に、基端側に雌ルアーを備えた雌コネクタが結合され、
該雌コネクタの先端側外周に、前記ロックリングの第２の雌ねじが螺合可能な第２の係止部が設けられてなることを特徴とする請求項１乃至請求項４のいずれかに記載のロック型接続具。
【請求項６】
可撓性チューブ他端の雌コネクタの先端側外周後方に、ロックリングの後端面と当接可能な翼状ストッパを設けたことを特徴とする請求項５記載のロック型接続具。
【発明の詳細な説明】
【０００１】
【発明の属する技術分野】
本発明は、医療用の輸液ラインの接続に好適なロック型接続具に関する。
【０００２】
【従来の技術】
従来より、医療分野においては、２種類以上の軟質樹脂チューブや器具等を接続して使用する場合が極めて多い。その際、接続部にテーパを有するルアー付きのコネクタ（ルアーコネクタ）が備えられた軟質樹脂チューブや器具等が使われる場合があることは、周知のとおりである。
【０００３】
また、ルアーコネクタ相互を用いた結合を強固なものとするために、接続具として内側がねじ構造になっている筒状のロックリングを雄ルアー部分に嵌装し、雄、雌のコネクタ相互を嵌合させた後、前記ロックリングを相手側雌コネクタの端部外周に螺合させて締め付けることで接続部を固定するようにしたロックリング付きコネクタ（以下、ロック型コネクタという）が使われることがあることも知られている。
【０００４】
また下記の場合、雄、雌のコネクタ相互の嵌合のみにより結合が行われるスリップ型コネクタが使用される。
▲１▼コネクタ接合部相互の結合部形状や材質等が適合せずロックリングを使用できない。
▲２▼頻繁にコネクタ相互の抜き差しが行われる。
▲３▼ロックリングを用いることでロックリングが人体に侵襲を加えてしまう（特に患者が小児の場合、ロックリングが皮膚と接触し、皮膚に傷等を加えてしまう）。
【０００５】
ところで、同じ接続部位において、ロック型コネクタ機能とスリップ型コネクタ機能の使い分けを必要とする場合が少なくない。このため、近年、ロック型コネクタ機能とスリップ型コネクタ機能の両方の機能をもつ接続具（ロック型接続具）が開発されている。例えば実開昭５９−８７８４０号公報（第１従来例）や特開平７−１４８２７１号公報（第２従来例）には、雄ルアーコネクタの基端外周に複数個の突起部を設けるとともに、雄ルアーコネクタに嵌装されるロックリングに前記突起部に対応する溝を設け、ロックリングの接続部からの脱着を可能としたものが記載されている。
【０００６】
すなわち、前記第１及び第２従来例のものにおいては、雄ルアーコネクタの突起部とロックリングの溝の位置を適合させることで、ロックリングの軸方向スライドを可能にして雄ルアーコネクタから脱着することができるようになっているとともに、前記突起部と溝の位置を異ならせることで、ロックリングの軸方向スライドを不可能にして雄ルアーコネクタからの離脱を防止するようになっていて、必要に応じロック型コネクタとスリップ型コネクタの機能を使い分けることができるようになっている。
【０００７】
【発明が解決しようとする課題】
前述の第１及び第２従来例において、雄ルアーコネクタに嵌装されたロックリングは、ロック型コネクタ機能を働かせ得るように、常に回転可能な状態におかれている。したがって、ロックリングの自由動などによりその溝とコネクタの突起部が適合した場合は、いつでも簡単にロックリングの雄ルアーコネクタからの離脱が可能となり、使用者が意図しない場合でもロックリングが雄ルアーコネクタから外れてしまい、使い勝手が悪い。
【０００８】
また、予期しない時にロックリングが外れて、軟質樹脂チューブ上で固定されていない状態になっていると、ロック型接続具全体の取扱い面で不便であるのみならず、ロック型接続具全般の衛生面、安全面でも問題が生じる可能性がある。
【０００９】
さらに、ロックリングを脱着を使用者が意図して行う場合に、ロックリングの溝とコネクタの突起部を完全に適合させないとロックリングを脱着することができないため、この点でも操作性が悪い。
【００１０】
本発明の技術的課題は、使用者が意図する場合には容易で安全にロックナット脱着が可能で、逆に意図しない場合にはロックナットが容易に外れないようにすることにある。
【００１１】
【課題を解決するための手段】
本発明の請求項１に係るロック型接続具は、下記の構成からなるものである。すなわち、先端側に雄ルアーを備えた雄コネクタに、ロックリングを嵌装してなるロック型接続具において、ロックリングの内腔を段筒状に形成し、その先端側の大径内腔部に、雄ルアーと接続される相手側雌コネクタの端部と螺合可能な第１の雌ねじを設けるとともに、その基端側の小径内腔部には、雄コネクタの基端側外周に形成した係止部と螺合可能な第２の雌ねじを設け、かつ雄コネクタの基端側外周前方に、ロックリングの内腔段部端面と当接可能な突起状ストッパを設けたことを特徴とするロック型接続具。
【００１２】
また、請求項２に係るロック型接続具は、ロックリングの第１と第２の雌ねじの向きが互いに逆向きとなるように設定したものである。
【００１３】
また、請求項３に係るロック型接続具は、雄コネクタ基端側の係止部が雄ねじからなるものである。
【００１４】
また、請求項４に係るロック型接続具は、雄コネクタ基端側の係止部が突起からなるものである。
【００１５】
また、請求項５に係るロック型接続具は、雄コネクタの基端に、可撓性チューブの一端が結合され、可撓性チューブの他端に、基端側に雌ルアーを備えた雌コネクタが結合され、雌コネクタの先端側外周に、ロックリングの第２の雌ねじが螺合可能な第２の係止部が設けられてなるものである。
【００１６】
また、請求項６に係るロック型接続具は、可撓性チューブ他端の雌コネクタの先端側外周後方に、ロックリングの後端面と当接可能な翼状ストッパを設けたものである。
【００１７】
【発明の実施の形態】
実施形態１．
図１は本発明の第１の実施形態に係るロック型接続具の全体構成を示す平面図、図２は図１の断面図、図３はそのロックリングのみを取り出して示す拡大断面図、図４はそのロック型コネクタ機能を働かせて他医療用具の雌コネクタに接続した状態を示す断面図、図５はそのロックリングを軟質樹脂チューブ先端の雄コネクタから取り外す途中段階を示す断面図、図６はロックリングを雄コネクタから取り外して軟質樹脂チューブ上にスライドさせた状態の断面図、図７はロックリングを軟質樹脂チューブ基端の雌コネクタに取り付ける途中段階を示す断面図、図８はロックリングを雌コネクタに締結させた状態を示す断面図、図９は軟質樹脂チューブ先端の雄コネクタにロックリングが備えられていない図８の状態で、スリップ型コネクタ機能を働かせて他医療用具の雌コネクタに接続した状態を示す断面図である。
【００１８】
各図において、１はロックリング、２はロックリング１が外嵌された雄コネクタ、３は雌コネクタ、４はこれら雄コネクタ２と雌コネクタ３間をつなぐ可撓性チューブすなわち軟質樹脂チューブ、５は他医療用具（三方活栓や翼状針等）の雌コネクタである。
【００１９】
これを更に詳述すると、ロックリング１は、その内腔が段筒状に形成され、その先端側の大径内腔部に相手側すなわち他医療用具の雌コネクタ５の雄ねじ（右ねじ）５１と螺合可能な右ねじ（例えば二条ねじ）からなる第１の雌ねじ１１が形成されているとともに、その基端側の小径内腔部に、これが嵌装される雄コネクタ２の基端側外周に形成した例えば二条の雄ねじ（左ねじ）２１ａからなる係止部２１と螺合可能な左ねじ（例えば二条ねじ）からなる第２の雌ねじ１２が設けられている。
【００２０】
雄コネクタ２には、その先端側外周に、先端が縮径するテーパからなる雄ルアー２２が設けられているとともに、そのロックリング１が外嵌されている基端側外周の前方に、ロックリング１の内腔段部端面１３（図３）と当接可能な外向きの突起状ストッパ２３が設けられ、突起状ストッパ２３と後方の係止部２１との間がストレート部２４に形成されていて、ストレート部２４ではロックリング１が自由に回転および前後移動できるようになっているが、ロックリング１の自由動による嵌装部からの脱落は突起状ストッパ２３と係止部２１により基本的に防止できるようになっている。しかし、使用者が意図して図５のようにロックリング１の第２の雌ねじ（左ねじ）１２と雄コネクタ２の基端側外周の雄ねじ（左ねじ）２１ａとを螺合させ、ロックリング１を基端側からみて時計回りに所定量回動させれば、この雄ねじ（左ねじ）２１ａ部分を通過させることができ、これによってロックリング１を図６のように雄コネクタ２から軟質樹脂チューブ４上に離脱させることができるようになっている。つまり、ロックリング１は、使用者が意図する場合には容易で安全に脱着が可能であるが、逆に意図しない場合には嵌装部から容易に外れないようになっている。
【００２１】
雌コネクタ３には、その基端側内周に、先端が縮径するテーパからなる雌ルアー３１が設けられているとともに、その基端側外周の後方に、図示しない他医療用具のロックリングと螺合可能な例えば二条の雄ねじ（右ねじ）３２が形成されている。また雌コネクタ３の先端側外周の前方には、ロックリング１の第２の雌ねじ（左ねじ）１２が螺合可能な例えば二条の雄ねじ（左ねじ）３３ａからなる第２の係止部３３が設けられているとともに、その先端側外周の後方に、ロックリング１の後端面と当接可能な翼状ストッパ３４が設けられており、図７のようにロックリング１の第２の雌ねじ（左ねじ）１２と雌コネクタ３の雄ねじ（左ねじ）３３ａとを螺合させ、ロックリング１を基端側からみて時計回りに所定量回動させれば、図８のように、ロックリング１の後端面１４が翼状ストッパ３４の前端面３５と当接して固定され、ロックリング１の基端側へのそれ以上の移動が阻止され、基端側への脱落が防止され、かつロックリング１を雌コネクタ３に保持させておくことができるようになっている。なお、翼状ストッパ３４は、雌コネクタ３を掴みやすくして操作性を向上させる機能も有している。
【００２２】
前述の構成を有する本実施形態のロック型接続具において、ロック型コネクタ機能を働かせて他の医療用具と接続するには、ロックリング１が雄コネクタ２に嵌装されている通常状態（図１，図２）で使用する。そして、まず図４のように結合すべき他医療用具の雌コネクタ５と雄コネクタ２の雄ルアー２２とを嵌合させる。次いで、他医療用具の雌コネクタ５の雄ねじ（右ねじ）５１とロックリング１の第１の雌ねじ１１とを螺合させ、ロックリング１を基端側からみて時計回りに回動させて締め付ける。これにより先端側の接続は完了する。その後、基端側の雌コネクタ３に結合すべき他の医療用具を接続する。
【００２３】
スリップ型コネクタ機能を働かせて他の医療用具と接続するには、まず通常状態（雄コネクタ２に嵌装されている図１，図２の状態）にあるロックリング１を、雄コネクタ２のストレート部２４上で基端側へスライドさせて、図５のようにロックリング１の第２の雌ねじ（左ねじ）１２と雄コネクタ２の基端側外周の雄ねじ（左ねじ）２１ａとを螺合させ、ロックリング１を基端側からみて時計回りに所定量回動させる。これにより、ロックリング１が雄ねじ（左ねじ）２１ａ部分を通過し、図６のように雄コネクタ２から軟質樹脂チューブ４上に離脱する。
【００２４】
次いで、ロックリング１を軟質樹脂チューブ４の基端側までスライドさせ、図７のようにロックリング１の第２の雌ねじ（左ねじ）１２と軟質樹脂チューブ基端の雌コネクタ３の雄ねじ（左ねじ）３３ａとを螺合させ、ロックリング１を基端側からみて時計回りに所定量回動させ、図８のようにロックリング１の後端面１４が翼状ストッパ３４の前端面３５と当接するまで締め付け、ロックリング１を雌コネクタ３側に保持固定させる。
【００２５】
その後、図９のように結合すべき他医療用具の雌コネクタ５と雄コネクタ２の雄ルアー２２とを嵌合させる。これにより先端側の接続は完了する。その後、基端側の雌コネクタ３に結合すべき他の医療用具を接続する。
【００２６】
このように本実施形態のロック型接続具は、雄コネクタ２の突起状ストッパ２３と雄ねじ（左ねじ）２１ａからなる係止部２１とが壁となって、ロックリング１がその自由動によってストレート部２４から先端側あるいは基端側へ脱落するのを確実に阻止する。
【００２７】
また、使用者が意図する場合には、ロックリング１の第２の雌ねじ（左ねじ）１２と雄コネクタ２の雄ねじ（左ねじ）２１ａとを螺合させて所定量回動させることで、簡単にロックリング１を後方の軟質樹脂チューブ４上に離脱させることができる。
【００２８】
更に、軟質樹脂チューブ４基端の雌コネクタ３にもロックリング１の第２の雌ねじ（左ねじ）１２と螺合可能な雄ねじ（左ねじ）３３ａからなる第２の係止部３３を設けているので、雄コネクタ２から軟質樹脂チューブ４上に離脱させたロックリング１を軟質樹脂チューブ４基端の雌コネクタ３に保持固定させることができるので、スリップ型コネクタ機能を働かせる際に、ロックリング１が邪魔にならず、使い勝手がよく、ロック型接続具全般の衛生面、安全面を向上させることができる。
【００２９】
更にまた、ロックリング１の内腔を段筒状に形成し、その先端側の大径内腔部に右ねじからなる第１の雌ねじ１１を、その基端側の小径内腔部に第１の雌ねじ１１とは逆向きの左ねじからなる第２の雌ねじ１２をそれぞれ形成し、これが嵌装される雄コネクタ２の基端側には第２の雌ねじ１２の螺合可能な雄ねじ（左ねじ）２１ａからなる係止部２１を設け、第１の雌ねじ（右ねじ）１１はコネクタの接続の際に相手側医療用具をロックするのに使用し、第２の雌ねじ１２はロックリング１を雄コネクタ２から離脱させる際に使用するよう構成しているので、双方の機能が同時に作用することはない。つまり、接続されている他医療用具からロックリング１を取り外す際、ロックリング１は基端側から見て反時計回りに回転させなければならない。一方、ロックリング１を雄コネクタ２より取り外す際は、ロックリング１を基端側から見て時計回りに回転させなければならない。よって、他医療用具からロックリング１を取り外す際に、ロックリング１が雄コネクタ２から同時に外れてしまうことはない。また、逆に、取り外されているロックリング１を雄コネクタ２に装着する際も、前記と同様に２つの機能が同時に働くことはない。このように、目的が異なる２つの機能を、ねじの回転方向を逆向きにすることで、同時に成立させているので、従来に比し使い勝手が一層向上している。
【００３０】
実施形態２．
図１０は本発明の第２の実施形態に係るロック型接続具の全体構成を示す平面図であり、図中、前述の第１実施形態の図１と同一部分には同一符号を付してある。なお、説明にあたっては前述の図３を参照するものとする。
【００３１】
この第２実施形態のロック型接続具は、前述の第１実施形態で説明したロックリング１の第２の雌ねじ（左ねじ）１２と螺合可能な雄コネクタ２基端側外周の係止部２２１及び雌コネクタ３先端側外周の第２の係止部３３３を、いずれも複数の突起２２１ａ，３３３ａから形成するとともに、雌コネクタ３の基端側外周後方の図示しない他医療用具のロックリングの雌ねじ（右ねじ）と螺合する部分も突起３３２から構成したものであり、それ以外の構成は前述の第１実施形態のものと同一であり、第１実施形態の持つ機能を全て備えている。
【００３２】
したがって、この第２実施形態においても前述の第１実施形態のものと同様の作用、効果を奏する。
【００３３】
なお、前述の各実施形態ではロックリング１の第１の雌ねじ１１を右ねじ、第２の雌ねじ１２を左ねじに設定して、互いの向きが逆向きとなるように構成したものを例に挙げて説明したが、第１の雌ねじ１１の向きと第２の雌ねじ１２の向きが同じ向きとなるように構成してもよく、その場合でも所期の目的は達成できる。また、ねじの向きを逆向きに設定する場合でも第１の雌ねじ１１を必ずしも右ねじとする必要はなく、結合すべき相手のねじ向きに合わせればよい。
【００３４】
【発明の効果】
以上述べたように、本発明によれば、ロックリングの内腔を段筒状に形成し、その先端側の大径内腔部に、雄ルアーと接続される相手側雌コネクタの端部と螺合可能な第１の雌ねじを設けるとともに、その基端側の小径内腔部には、雄コネクタの基端側外周に形成した係止部と螺合可能な第２の雌ねじを設け、かつ雄コネクタの基端側外周前方に、ロックリングの内腔段部端面と当接可能な突起状ストッパを設けたので、使用者が意図する場合には容易で安全にロックナット脱着が可能で、逆に意図しない場合にはロックナットが容易に外れないようにすることができ、使い勝手が向上した。
【００３５】
また、ロックリングの第１と第２の雌ねじの向きが互いに逆向きとなるように設定したので、目的が異なる脱着と締結の２つの機能を、同時に成立させることができて、使い勝手を一層向上させることができた。
【００３６】
また、可撓性チューブ他端の雌コネクタの先端側外周に、ロックリングの第２の雌ねじが螺合可能な第２の係止部を設けたので、雄コネクタから軟質樹脂チューブ上に離脱させたロックリングを軟質樹脂チューブ基端の雌コネクタに保持固定させることができ、スリップ型コネクタ機能を働かせる際に、ロックリングが邪魔にならず、使い勝手がよく、ロック型接続具全般の衛生面、安全面を向上させることができた。
【００３７】
また、可撓性チューブ他端の雌コネクタの先端側外周後方に、ロックリングの後端面と当接可能な翼状ストッパを設けたので、雄コネクタから軟質樹脂チューブ上に離脱させたロックリングを雌コネクタに確実に保持固定させることができた。
【図面の簡単な説明】
【図１】本発明の第１実施形態に係るロック型接続具の全体構成を示す平面図である。
【図２】図１の断面図である。
【図３】第１実施形態に係るロック型接続具のロックリングのみを取り出して示す拡大断面図である。
【図４】第１実施形態に係るロック型接続具のロック型コネクタ機能を働かせて他医療用具の雌コネクタに接続した状態を示す断面図である。
【図５】第１実施形態に係るロック型接続具のロックリングを軟質樹脂チューブ先端の雄コネクタから取り外す途中段階を示す断面図である。
【図６】第１実施形態に係るロック型接続具のロックリングを雄コネクタから取り外して軟質樹脂チューブ上にスライドさせた状態の断面図である。
【図７】第１実施形態に係るロック型接続具のロックリングを軟質樹脂チューブ基端の雌コネクタに取り付ける途中段階を示す断面図である。
【図８】第１実施形態に係るロック型接続具のロックリングを雌コネクタに締結させた状態を示す断面図である。
【図９】図８の状態でスリップ型コネクタ機能を働かせて他医療用具の雌コネクタに接続した状態を示す断面図である。
【図１０】本発明の第２の実施形態に係るロック型接続具の全体構成を示す平面図である。
【符号の説明】
１　ロックリング
１１　第１の雌ねじ（右ねじ）
１２　第２の雌ねじ（左ねじ）
１３　内腔段部端面
１４　ロックリングの後端面
２　雄コネクタ
２１，２２１　係止部
２２　雄ルアー
２３　突起状ストッパ
３　雌コネクタ
３１　雌ルアー
３３　第２の係止部
３４　翼状ストッパ
４　軟質樹脂チューブ（可撓性チューブ）
５　相手側雌コネクタ
５１　雄ねじ（相手側雌コネクタの端部）
２１ａ　雄ねじ（係止部）
２２１ａ　突起（係止部）
【図１】
2004081433.tif 000003
【図２】
2004081433.tif 000004
【図３】
2004081433.tif 000005
【図４】
2004081433.tif 000006
【図５】
2004081433.tif 000007
【図６】
2004081433.tif 000008
【図７】
2004081433.tif 000009
【図８】
2004081433.tif 000010
【図９】
2004081433.tif 000011
【図１０】
2004081433.tif 000012